(57)【特許請求の範囲】
【請求項１】
記録部に記録された映像コンテンツ又は音楽コンテンツの所定の箇所に設定されたブックマークに基づいて、前記映像コンテンツ又は音楽コンテンツを頭出しして再生するように再生部の動作を制御する制御部と、
前記制御部は、
前記ブックマークに設定された優先度に基づいて前記再生部の動作を制御し、
前記優先度を、前記ブックマークに基づいて頭出しした後の再生時間が時間Ｔ１以下である場合には減少させ、前記ブックマークに基づいて頭出しした後の再生時間が時間Ｔ２以上である場合には増大させる、情報処理装置。
【請求項２】
ユーザによるブックマークの選択を受け付ける選択受付部をさらに備え、
前記制御部は、前記選択に基づき、前記ブックマークにより前記映像コンテンツ又は音楽コンテンツを頭出しして再生するように前記再生部の動作を制御するとともに、前記優先度が所定の値よりも低い前記ブックマークについて、前記選択を受け付けないように制御する、請求項１記載の情報処理装置。
【請求項３】
前記制御部は、前記ユーザの操作に応動し、前記ブックマークにより前記映像コンテンツ又は音楽コンテンツを頭出しして再生するように前記再生部の動作を制御するとともに、前記優先度が所定の値よりも低い前記ブックマークについて、ブックマークファイルより削除する、請求項２記載の情報処理装置。
【請求項４】
前記制御部は、前記優先度を、前記ブックマークに基づいて頭出しした後の再生時間が前記時間Ｔ１を上回り前記時間Ｔ２未満である場合には変化させずに保持する、請求項１に記載の情報処理装置。
【請求項５】
前記制御部は、前記記録部に前記優先度の情報を記録させる、請求項１に記載の情報処理装置。
【請求項６】
前記制御部は、前記優先度の情報を前記映像コンテンツ又は音楽コンテンツのファイルに記録させる、請求項１に記載の情報処理装置。
【請求項７】
映像コンテンツ又は音楽コンテンツの所定の箇所に設定されたブックマークに基づいて、前記映像コンテンツ又は音楽コンテンツを頭出しして再生するように制御するステップと、
前記ブックマークに設定された優先度に基づいて前記再生部の動作を制御するステップと、
前記優先度を、前記ブックマークに基づいて頭出しした後の再生時間が時間Ｔ１以下である場合には減少させ、前記ブックマークに基づいて頭出しした後の再生時間が時間Ｔ２以上である場合には増大させるステップと、
を含む、情報処理方法。
【請求項８】
コンピュータを、
記録部に記録された映像コンテンツ又は音楽コンテンツの所定の箇所に設定されたブックマークに基づいて、前記映像コンテンツ又は音楽コンテンツを頭出しして再生するように再生部の動作を制御する制御部と、を備え
前記制御部は、
前記ブックマークに設定された優先度に基づいて前記再生部の動作を制御し、
前記優先度を、前記ブックマークに基づいて頭出しした後の再生時間が時間Ｔ１以下である場合には減少させ、前記ブックマークに基づいて頭出しした後の再生時間が時間Ｔ２以上である場合には増大させる、情報処理装置として機能させるためのプログラム。
【発明の詳細な説明】
【技術分野】
【０００１】
本発明は、再生装置、再生方法、再生方法のプログラム及び再生方法のプログラムを記録した記録媒体に関し、例えば光ディスクによりテレビジョン放送による番組を記録再生する記録再生装置に適用することができる。本発明は、頭出しの目印であるブックマーク、チャプター等に優先度を設定して更新し、優先度の低いものについては、ユーザーによる操作を受け付けないようにすることにより、ブックマーク、チャプター等による頭出し再生用の目印に関して、従来に比して使い勝手を向上する。
【背景技術】
【０００２】
従来、光ディスク、ハードディスク装置等を用いた記録再生装置では、ブックマーク、チャプターの機能が設けられており、この機能によりユーザーの使い勝手を向上するように構成されている。
【０００３】
すなわち例えばテレビジョン放送による映像コンテンツを記録再生する場合、この種の記録再生装置は、ユーザーの操作により頭出し用の目印としてブックマークを設定する。また記録した番組を再生している際に、ユーザーにより所定の操作子が操作されると、次のブックマーク又は前のブックマークに再生箇所をジャンプさせる。
【０００４】
このようなブックマークの設定にあっては、シーンチェンジの検出による設定、一定の時間間隔による設定等により、番組の記録時、自動的にブックマークを設定する方法も提案されており、例えば特開平９−２１９８１９号公報には、電子番組ガイドの利用によりブックマークを設定する方法が提案されている。
【０００５】
これに対していわゆるパッケージメディアである再生専用の記録媒体によるＤＶＤでは、頭出し用の目印としてチャプターが設定されて映像コンテンツが提供され、これによりＤＶＤを再生する記録再生装置では、チャプターが設定されたシーンを一覧表示してユーザーの選択したシーンより映像コンテンツを再生し、また所定の操作子の操作により、次のチャプター又は前のチャプターに再生箇所をジャンプさせる。
【０００６】
ところでこのようなブックマーク、チャプターによる頭出し再生用の目印にあっては、使い勝手の点で、実用上未だ不十分な問題がある。
【０００７】
すなわちユーザーの操作によりブックマークを設定する場合、ユーザーにブックマーク設定操作を強いることになり、その分、使い勝手が悪くなる。これに対して自動的にブックマークを設定する場合、ブックマーク設定の操作をユーザーに強いることが無くなる反面、ユーザーの必要としないブックマークまで設定され、場合によっては、却って使い勝手が悪くなる。因みに、このような自動的なブックマークの設定において、ユーザーの必要としないブックマークを設定しないようにすると、今度は、ユーザーが必要とする箇所にブックマークを設定できなくなる。
【０００８】
これに対してチャプターにあっても、同様のことが言え、多くのユーザーが必要とする全てのシーンにチャプターを設定すると、特定のユーザーにとっては、必要としないチャプターまで設定され、これにより却って使い勝手が悪くなる。この場合に、チャプターの数を減らすと、今度は、特定のユーザーにとって必要なチャプターが設定されていないことになる。
【特許文献１】特開平９−２１９８１９号公報
【発明の開示】
【発明が解決しようとする課題】
【０００９】
本発明は以上の点を考慮してなされたもので、ブックマーク、チャプター等による頭出し再生用の目印に関して、従来に比して使い勝手を向上することができる再生装置、再生方法、再生方法のプログラム及び再生方法のプログラムを記録した記録媒体を提案しようとするものである。
【課題を解決するための手段】
【００１０】
かかる課題を解決するため請求項１の発明は、映像コンテンツ又は音楽コンテンツを再生する再生装置に適用して、記録媒体に記録された前記映像コンテンツ又は音楽コンテンツを再生する再生部と、前記再生部で再生された前記映像コンテンツ又は音楽コンテンツを出力する出力部と、少なくとも前記再生部の動作を制御する制御部とを備え、前記映像コンテンツ又は音楽コンテンツは、複数箇所に、頭出し用の目印が設定され、前記制御部は、ユーザーによる操作に応動して、前記頭出し用の目印により頭出しして前記映像コンテンツ又は音楽コンテンツを再生するように前記再生部の動作を制御し、前記頭出しに供した程度を示す優先度を、前記頭出しに係る前記ユーザーによる操作に応動して可変し、前記優先度が低い前記目印については、前記ユーザーによる頭出しの操作を受け付けないようにする。
【００１１】
また請求項２の発明は、映像コンテンツ又は音楽コンテンツの再生方法に適用して、前記映像コンテンツ又は音楽コンテンツは、複数箇所に、頭出し用の目印が設定され、前記再生方法は、ユーザーによる操作に応動して、前記頭出し用の目印により頭出しして前記映像コンテンツ又は音楽コンテンツを再生するコンテンツ再生のステップと、前記頭出しに供した程度を示す優先度を、前記頭出しに係る前記ユーザーによる操作に応動して可変する優先度可変のステップとを有し、前記コンテンツ再生のステップは、前記優先度が低い前記目印については、前記ユーザーによる頭出しの操作を受け付けないようにする。
【００１２】
また請求項８の発明は、演算処理手段による処理手順の実行により映像コンテンツ又は音楽コンテンツを再生する再生方法のプログラムに適用して、前記映像コンテンツ又は音楽コンテンツは、複数箇所に、頭出し用の目印が設定され、前記処理手順は、ユーザーによる操作に応動して、前記頭出し用の目印により頭出しして前記映像コンテンツ又は音楽コンテンツを再生するコンテンツ再生のステップと、前記頭出しに供した程度を示す優先度を、前記頭出しに係る前記ユーザーによる操作に応動して可変する優先度可変のステップとを有し、前記コンテンツ再生のステップは、前記優先度が低い前記目印については、前記ユーザーによる頭出しの操作を受け付けないようにする。
【００１３】
また請求項９の発明は、請求項８に記載の再生方法のプログラムを記録した記録媒体であるようにする。
【００１４】
請求項１の構成により、映像コンテンツ又は音楽コンテンツを再生する再生装置に適用して、記録媒体に記録された前記映像コンテンツ又は音楽コンテンツを再生する再生部と、前記再生部で再生された前記映像コンテンツ又は音楽コンテンツを出力する出力部と、少なくとも前記再生部の動作を制御する制御部とを備え、前記映像コンテンツ又は音楽コンテンツは、複数箇所に、頭出し用の目印が設定され、前記制御部は、ユーザーによる操作に応動して、前記頭出し用の目印により頭出しして前記映像コンテンツ又は音楽コンテンツを再生するように前記再生部の動作を制御し、前記頭出しに供した程度を示す優先度を、前記頭出しに係る前記ユーザーによる操作に応動して可変し、前記優先度が低い前記目印については、前記ユーザーによる頭出しの操作を受け付けないようにすれば、全てのユーザーに対応可能に、頭出し用の目印を多数設定した場合でも、必要とされる目印だけ優先度が増大して操作が受け付けられるようになり、最終的に、そのユーザーに適した目印だけで頭出し再生することができ、これによりブックマーク、チャプター等による頭出し再生用の目印に関して、従来に比して使い勝手を向上することができる。
【００１５】
これにより請求項２、請求項８、請求項９の構成によれば、ブックマーク、チャプター等による頭出し再生用の目印に関して、従来に比して使い勝手を向上することができる再生方法、再生方法のプログラム、再生方法のプログラムを記録した記録媒体を提供することができる。
【発明の効果】
【００１６】
本発明によれば、ブックマーク、チャプター等による頭出し再生用の目印に関して、従来に比して使い勝手を向上することができる。
【発明を実施するための最良の形態】
【００１７】
以下、適宜図面を参照しながら本発明の実施例を詳述する。
【実施例１】
【００１８】
（１）実施例の構成
図２は、本発明の実施例に係る記録再生装置を示すブロック図である。この記録再生装置１は、テレビジョン放送、外部入力による映像コンテンツをストレージ２による記録媒体に記録し、またこの記録媒体に記録した映像コンテンツを再生してユーザーに提供する。なおこの実施例では、このストレージ２による記録媒体に、ＤＶＤによる光ディスクが適用されるものの、これに代えてメモリカード、ハードディスク等、種々の記録媒体を広く適用することができる。
【００１９】
すなわちこの記録再生装置１において、チューナー３は、中央処理ユニット（ＣＰＵ）４の制御により動作を切り換え、アンテナ５で受信されるテレビジョン放送波を処理してビデオデータＤＶ及びオーディオデータＤＡによる映像コンテンツをＭＰＥＧ（Moving Picture Experts Group）エンコーダ６に出力する。またチューナー３は、このテレビジョン放送波の受信がディジタル放送等の場合に、この放送波のデータ放送による各種データを復号してデータ抽出回路１２に出力する。
【００２０】
ＭＰＥＧエンコーダ６は、中央処理ユニット４の制御により、このチューナー３から出力されるビデオデータＤＶ及びオーディオデータＤＡ、又は外部入力端子より入力される外部入力によるビデオデータＤＶ及びオーディオデータＤＡをＭＰＥＧの手法によりデータ圧縮して多重化処理し、その結果得られる多重化ストリームをバスＢＵＳに出力する。
【００２１】
またさらにＭＰＥＧエンコーダ６は、ビデオデータＤＶの連続するフレーム間で、急激な画素値の変化を検出することにより、このビデオデータＤＶよりシーンチェンジを検出する。ＭＰＥＧエンコーダ６は、このシーンチェンジの検出を中央処理ユニット４に通知し、さらこのシーンチェンジが検出されたフレームに係るビデオデータＤＶを間引きしてサムネール画像の画像データを生成し、このサムネール画像の画像データをバスＢＵＳに出力する。
【００２２】
ストレージ２は、中央処理ユニット４の制御により、映像コンテンツの記録時、このバスＢＵＳに出力される多重化ストリーム等を取得して記録媒体に記録する。これによりこの記録再生装置１は、チューナー３で取得される映像コンテンツのファイル、外部入力による映像コンテンツのファイルを関連するファイルと共に記録媒体に記録する。
【００２３】
またストレージ２は、再生時、記録媒体に記録された多重化ストリームのデータ等を再生してバスＢＵＳに出力する。ＭＰＥＧ（Moving Picture Experts Group）デコーダ７は、このバスＢＵＳに出力される多重化ストリームを入力してビデオデータ及びオーディオデータのストリームデータに分解した後、それぞれビデオデータＤＶ及びオーディオデータＤＡを復号して出力する。
【００２４】
ビデオ信号処理回路８は、中央処理ユニット４の制御により、チューナー３から出力されるビデオデータＤＶ、ＭＰＥＧデコーダ７から出力されるビデオデータＤＶ、又はバスＢＵＳを介してビデオＲＡＭ（ＶＲＡＭ）１５から出力されるビデオデータＤＶを選択的に入力し、この選択的に入力したビデオデータＤＶによりディスプレイ９を駆動する。これによりこの記録再生装置１は、チューナー３で取得される映像コンテンツの映像、ストレージ２により再生される映像コンテンツの映像をディスプレイ９によりモニタし、さらにはこの記録再生装置１の操作に係る各種のメニュー等の表示をディスプレイ９により確認できるように構成されている。
【００２５】
オーディオ信号処理回路１０は、中央処理ユニット４の制御により、チューナー３から出力されるオーディオデータＤＡ、ＭＰＥＧデコーダ７から出力されるオーディオデータＤＡを選択的に入力し、この選択的に入力したオーディオデータＤＡによりスピーカ１１を駆動する。これによりこの記録再生装置１は、チューナー３で取得される映像コンテンツの音声、ストレージ２により再生される映像コンテンツの音声をスピーカ１１によりモニタできるように構成されている。
【００２６】
データ抽出回路１２は、チューナー３から出力されるデータ放送による各種データより例えば電子番組表によるデータを抽出して出力し、これによりタイマー録画等に利用できるようにする。
【００２７】
ユーザーインターフェース（ＵＩＦ）１３は、この記録再生装置１に設けられた各種操作子によるインターフェース、リモートコマンダーとこのリモートコマンダーによる操作を検出するインターフェース等により構成され、ユーザーによる操作を中央処理ユニット４に通知する。
【００２８】
ビデオＲＡＭ１５は、中央処理ユニット４の制御により、中央処理ユニット４から出力されるビデオデータを格納し、またこの格納したビデオデータをバスＢＵＳを介してビデオ信号処理回路８に出力する。これによりこの記録再生装置１は、ディスプレイ９に表示するメニュー等の画像をビデオＲＡＭ１５に展開して処理する。
【００２９】
中央処理ユニット４は、この記録再生装置１の動作を制御する制御部であり、リードオンリメモリ（ＲＯＭ）１６の記録に従ってランダムアクセスメモリ（ＲＡＭ）１７にワークエリアを確保して図示しないメモリに記録されたプログラムを実行する。なおこの実施例では、これによりこの中央処理ユニット４の処理に係るプログラムは、この記録再生装置１に事前にインストールされて提供されるものの、このような事前のインストールによる提供に代えて、インターネット等のネットワークを介したダウンロードにより提供するようにしてもよく、光ディスク、磁気ディスク、メモリカード等の記録媒体に記録して提供するようにしてもよい。
【００３０】
これにより中央処理ユニット４は、記録可能なＤＶＤによる光ディスクをユーザーがストレージ２にセットして映像コンテンツの記録を指示すると、チューナー３、ＭＰＥＧエンコーダ６等の制御により、テレビジョン放送による映像コンテンツ、外部入力による映像コンテンツのファイルをストレージ２により記録する。
【００３１】
この映像コンテンツの記録時、中央処理ユニット４は、シーンチェンジが検出されると、このシーンチェンジが検出された箇所にブックマークを設定し、このブックマークの設定を不揮発性記憶素子１４に記録して保持する。なお不揮発性記憶素子１４は、例えばフラッシュメモリにより構成される。
【００３２】
ここで中央処理ユニット４は、このブックマークの記録を図３に示すフォーマットによるブックマークファイルにより実行する。ここでブックマークファイルは、先頭のフィールドに、対応する映像コンテンツを特定するコンテンツ識別ＩＤが記録される。また続くフィールドに、このブックマークファイルに記録されたブックマークの数が記録され、このフィールドに記録されたブックマークの数だけ、続いて各ブックマークの情報が記録される。
【００３３】
ここで各ブックマークの情報は、先頭フィールドに、対応するブックマークの位置情報が映像コンテンツのファイル先頭からの再生時間により記録され、続くフィールドに、このブックマークの優先度が記録される。ここで優先度は、頭出しに供した程度を示すパラメータであり、後述する中央処理ユニット４の処理により適宜変更される。また各ブックマークの情報は、続くフィールドに、このブックマークファイルのファイル先頭からのオフセットデータ量により、対応するブックマークのサムネール画像データの位置情報が記録され、また続くフィールドに、このブックマークファイルのファイル先頭からのオフセットデータ量により、対応するブックマークのメタデータの位置情報が記録される。
【００３４】
ブックマークファイルは、これらコンテンツ識別ＩＤ、ブックマークの数、ブックマークの情報に係る各フィールドが、固定長により形成され、さらに各ブックマークのサムネール画像データ、各ブックマークのメタデータが可変長により記録される。なおこここでメタデータは、ユーザーの設定したブックマークの名称、ブックマークの設定日付等のデータである。
【００３５】
これに対してユーザーによりストッレージ２に記録したファイルの再生が指示されると、中央処理ユニット４は、全体の動作モードを再生モードに切り換え、ユーザーにより指示された映像コンテンツの再生を開始する。この処理において、中央処理ユニット４は、ファイル先頭から順次ノーマル再生によりこの映像コンテンツの再生を指示し、ユーザーによりスキップが指示されると、対応するブックマークファイルの記録に従って、現在再生中の箇所から続くブックマーク、又は直前のブックマークに再生箇所をスキップさせる。
【００３６】
すなわちこの実施例において、ユーザーインターフェース１３に係るリモートコマンダーは、図４に示すように、優先度の高いブックマークによるスキップの操作を指示する高優先度に係るスキップの操作子１３Ａと、通常のブックマークによるスキップの操作を指示する通常処理に係るスキップの操作子１３Ｂとが設けられており、中央処理ユニット４は、図５に示すように、高優先度に係るスキップの操作子１３Ａが操作された場合には、優先度の高い側の判定基準値である高優先度判定値以上に優先度が設定されているブックマークを選択して再生箇所をスキップさせる。具体的に、中央処理ユニット４は、この図５の例では、ブックマーク番号２、９、１１のブックマークによりスキップの処理を実行する。これに対して通常処理に係るスキップの操作子１３Ｂが操作された場合には、優先度の低い側の判定基準値である低優先度判定値以下のブックマークを除外して再生箇所をスキップさせる。具体的に、中央処理ユニット４は、この図５の例では、ブックマーク番号２〜６、９〜１１のブックマークによりスキップの処理を実行する。なおこで優先度初期値は、ブックマークファイルの作成時に設定される優先度の値である。
【００３７】
これにより中央処理ユニット４は、優先度に応じてスキップの処理に供するブックマークを選択して頭出しの処理を実行する。
【００３８】
図１は、このようなスキップの処理に供する優先度の処理に係る中央処理ユニット４の処理手順を示すフローチャートである。中央処理ユニット４は、上述のスキップの操作子１３Ａ、１３Ｂの操作により頭出しの処理を実行する毎に、さらには後述するブックマークの一覧表示によりユーザーがブックマークを選択して頭出しの処理を実行する毎に、この処理手順を実行する。
【００３９】
すなわち中央処理ユニット４は、この処理手順を開始すると、ステップＳＰ１からステップＳＰ２に移り、ここでブックマークからのノーマル再生による再生時間が優先度の増大の判定に係る一定時間Ｔ２以上となったか否か判断する。ここで肯定結果が得られると、中央処理ユニット４は、ステップＳＰ２からステップＳＰ３に移り、この頭出しに供したブックマークの優先度を、上限値を超えない範囲で値１だけ増大させた後、ステップＳＰ４に移ってこの処理手順を終了する。
【００４０】
これに対してステップＳＰ２で否定結果が得られると、中央処理ユニット４は、ステップＳＰ２からステップＳＰ５に移り、続くスキップの操作子１３Ａ、１３Ｂの操作によりノーマル再生を停止したか否か判断し、ここで否定結果が得られると、ステップＳＰ２に戻る。これに対してステップＳＰ５で肯定結果が得られると、中央処理ユニット４は、ステップＳＰ５からステップＳＰ６に移り、ここでノーマル再生による再生時間が優先度の減少の判定に係る再生時間Ｔ１以下か否か判断する。
【００４１】
ここで肯定結果が得られると、中央処理ユニット４は、ステップＳＰ６からステップＳＰ７に移り、優先度を値１から減少させた後、ステップＳＰ４に移ってこの処理手順を終了する。これに対してステップＳＰ６で否定結果が得られると、この場合は、何ら優先度を変更することなく、ステップＳＰ６からステップＳＰ４に移ってこの処理手順を終了する。
【００４２】
これにより図６に示すように、この映像コンテンツを何回も視聴して、頭出し処理するようにして、頭出しする毎に、一定時間以上、頭出しした箇所からノーマル再生により映像コンテンツを再生している場合には、符号Ｌ１により示すように、頭出しの回数毎に優先度を上限値まで増大させる。これに対して頭出しして即座に続くブックマークにスキップする場合には、符号Ｌ２により示すように、頭出しの回数毎に、優先度を低減させる。なおこの場合、図５について上述したように、優先度が低優先度判定値以下となると、中央処理ユニット４ではスキップの操作子１３Ｂによる操作によっても頭出しの処理を実行しないことにより、優先度は、この低優先度判定値に保持されることになる。これに対してこのように優先度を低減させる程度とまではいかないまでも、頭出しして、時間Ｔ２以上ノーマル再生しないで続くブックマークにスキップする場合には、符号Ｌ３により示すように、優先度を初期値の値に保持する。なおこのように優先度を値１づつ増加、減少させる代わりに、ノーマル再生による再生時間に応じて、増大させる値、減少させる値を変化させるようにしてもよい。
【００４３】
しかしてこれにより中央処理ユニット４は、このようにして不揮発性記憶素子１４に記録したブックマークファイルにおけるブックマークの優先度を、頭出しの処理を実行する毎に変更する。
【００４４】
これに対してこのような映像コンテンツの再生時、中央処理ユニット４は、ユーザーによりブックマークの一覧表示が指示されると、ビデオＲＡＭ１５の駆動により、図７に示すようにディスプレイ９の表示をブックマークの一覧表示に切り換える。ここでこのブックマークの一覧表示は、ブックマークファイルに記録されたブックマークが上段より順次表示される。また各ブックマークの表示は、ブックマークに設けられたブックマークの総数における番号、再生時刻、メタデータによるブックマーク設定の日付が表示される。なおこの場合に、ブックマークファイルにメタデータによるブックマークの名称が記録されている場合、中央処理ユニット４は、併せてこの名称を表示する。また中央処理ユニット４は、ユーザーの操作により、サムネール画像によるブックマークの表示が指示された場合、このようなテキストによるブックマークの表示に代えて、対応するサムネール画像データによりサムネール画像を表示してブックマークを一覧表示する。
【００４５】
この表示において、中央処理ユニット４は、優先度が高優先度判定値以上のブックマークについては、符号Ｆ１により示すように、他のブックマークに比して目立つように背景の色彩を設定して表示し、これによりユーザーの注意を喚起する。またこれとは逆に、優先度が低優先度判定値のブックマークについては、符号Ｆ２により示すように、他のブックマークに比して目立たないように背景の色彩を設定して表示する。なおこのような背景の設定に代えて、縁取り等により表示を切り換えるようにしてもよい。またサムネール画像における一覧表示においては、優先度が低優先度判定値のものを薄く表示してもよく、これらの表示にあっては、種々の表示方法を適用することができる。
【００４６】
またこの表示において、中央処理ユニット４は、ユーザーによるリモートコマンダーの操作によりカーソルＫを移動させてユーザーによるブックマークの選択を受け付け、このユーザーにより選択されたブックマークにより頭出しして、映像コンテンツを再生する。この一連の処理において、中央処理ユニット４は、優先度が低優先度判定値のブックマークについては、カーソルＫをスキップさせてユーザーによる選択を受け付けないようにする。
【００４７】
これに対してユーザーがパッケージメディア等によるＤＶＤの光ディスクを装填して映像コンテンツの再生を指示した場合、中央処理ユニット４は、この再生が指示された映像コンテンツのチャプターに基づいて、図３について上述したブックマークファイルと同様のチャプターファイルを作成する。なおブックマークファイルにあっては、このブックマークファイルにサムネール画像データを設けるようにして、各ブックマークの情報に対応するサムネール画像データの位置情報を割り当てるようにしたが、これに代えて、チャプターファイルについては、光ディスクとのリンクの設定により、チャプターファイルへのサムネール画像データの記録を省略するようにしてもよい。
【００４８】
さらに中央処理ユニット４は、このようにしてチャプターより生成したチャプターファイルにより、上述のブックマークファイルに係る一連の処理を実行し、これにより優先度を適宜更新しながら頭出しの処理を実行する。また映像コンテンツの再生の終了後にあっても、さらには光ディスクを排出した後にあっても、一定の期間、又は不揮発性記憶素子１４の領域が不足するまでの間、このチャプターファイルを不揮発性記憶素子１４に保持し、この光ディスクが再び装填されると、この不揮発性記憶素子１４に保持したチャプターファイルを用いて、優先度を適宜更新しながら頭出しの処理を実行する。
【００４９】
（２）実施例の動作
以上の構成において、この記録再生装置１（図２）では、テレビジョン放送による映像コンテンツによる映像コンテンツにあっては、チューナー３により受信された後、ＭＰＥＧエンコーダ６によりビデオデータＤＶ及びオーディオデータＤＡがデータ圧縮処理されて多重化処理された後、ストレージ２により記録媒体に記録される。また外部入力による映像コンテンツを記録する場合、外部入力によるビデオデータＤＶ及びオーディオデータＤＡがＭＰＥＧエンコーダ６によりデータ圧縮処理されて多重化処理された後、ストレージ２により記録媒体に記録される。
【００５０】
この映像コンテンツの記録時、これらの映像コンテンツは、シーンチェンジの検出によりブックマークが順次設定され、このブックマークの位置情報がブックマークに係るサムネール画像データ、メタデータと共にブックマークファイル（図３）により、映像コンテンツを記録した記録媒体とは異なる記録媒体である不揮発性記憶素子１４に記録される。
【００５１】
これによりこの実施例では、全てのユーザーが利用可能に、シーンチェンジ検出の条件を緩くして多くのブックマークを設定すると、不必要なブックマークが多数設定されることになり、ユーザーの使い勝手が劣化することになる。またこれとは逆に、シーンチェンジ検出の条件を厳しくしてブックマークの設定数を減少させると、必要とするブックマークが設定されていない場合も発生し、これにより使い勝手が劣化することになる。
【００５２】
これによりこの実施例では、このようにして記録されるブックマークファイルの各ブックマークに優先度が設定され、ブックマークファイルの作成時にあっては、この優先度が初期設定値に設定される。またブックマークの利用による頭出しの操作により、この優先度が可変されて、優先度の低いブックマークについては、ユーザーによる頭出しの操作を受け付けないように設定される（図１、図５及び図６）。
【００５３】
これによりこの実施例では、全てのユーザーに対応可能に、ブックマークを多数設定して、必要とされるブックマークだけ優先度が増大して操作が受け付けられるようになり、最終的に、そのユーザーに適したブックマークだけで頭出し再生することができ、これによりブックマークに関して、従来に比して使い勝手を向上することができる。
【００５４】
すなわちこの記録再生装置１において、頭出しした後、優先度の減少の判定に係る一定時間以上、ノーマル再生により映像コンテンツを再生しない場合、対応するブックマークに係る優先度が減少し、これにより頭出しして、即座に、続くブックマークにスキップを繰り返す場合にあっては、このブックマークの優先度が徐々に低下して、遂には頭出しには利用されないようになる。これによりユーザーが必要としないブックマークについては、頭出しに利用しないようにして、ユーザーの使い勝手を向上することができる。
【００５５】
これに対して頭出しした後、優先度の増大の判定に係る一定時間以上、ノーマル再生により映像コンテンツを再生する場合、このブックマークについては、ユーザーが頭出しに利用したブックマークであり、これにより対応するブックマークに係る優先度が増大する。これにより幾度となく頭出しに利用するブックマークにあっては、優先度が徐々に増大し、この増大した優先度により頭出しすることにより、ユーザーによる使い勝手を向上することができる。
【００５６】
すなわちこの記録再生装置１では、リモートコマンダーに２種類のスキップの操作子１３Ａ及び１３Ｂが設けられており（図４）、一方のスキップの操作子１３Ｂが操作された場合には、優先度が所定値以下に減少していないブックマークによりスキップの処理が実行されるのに対し、他方のスキップの操作子１３Ａが操作された場合には、優先度が一定値以上に増大したブックマークによりスキップの処理が実行される。
【００５７】
これによりこの実施例では、幾度となく頭出しに利用したブックマークを有効に利用して頭出しの処理を実行することができ、その分、使い勝手を向上することができる。またこのように２種類のブックマークに係るスキップの操作子１３Ａ及び１３Ｂを設けたことにより、優先度の高い側のスキップの操作子１３Ａにより大まかに頭出しした後、優先度が低い側のスキップの操作子１３Ｂにより細かく頭出しすることもでき、その分、使い勝手を向上することができる。
【００５８】
またユーザーによりブックマークの一覧表示が指示された場合でも（図７）、優先度の高いものと、優先度の低いものとを識別可能にブックマークが一覧表示され、これによってもユーザーの使い勝手を向上することができる。
【００５９】
しかしてこの実施例では、このブックマークファイルが、映像コンテンツを記録する記録媒体とは別の記録媒体である不揮発性記憶素子１４に記録される。またパッケージメディアによる光ディスクを再生する場合には、この光ディスクにより再生する映像コンテンツに設定されたチャプターにより、ブックマークファイルと同様のチャプターファイルが作成されて不揮発性記憶素子１４に記録され、この不揮発性記憶素子１４のチャプターファイルに設けられた優先度が、同様に、適宜変更されて、ユーザーによる操作が受け付けられる。これによりこの実施例では、チャプターに関しても、映像コンテンツの記録時に係るブックマークと同様に、従来に比してユーザーの使い勝手を向上することができる。
【００６０】
しかしてこの場合、このチャプターファイルにあっては、コンテンツ識別ＩＤにより映像コンテンツとの対応関係が記録されて不揮発性記憶素子１４に保持され、この記録再生装置１からこの映像コンテンツに係る光ディスクが排出されて、後日、この映像コンテンツに係る光ディスクを再生する場合には、この不揮発性記憶素子１４に保持されたチャプターファイルにより頭出しの処理が実行され、これによりユーザーの使い勝手が向上される。
【００６１】
（３）実施例の効果
以上の構成によれば、頭出しの目印であるブックマーク、チャプターに優先度を設定して更新し、優先度の低いものについては、ユーザーによる操作を受け付けないようにすることにより、ブックマーク、チャプターによる頭出し再生用の目印に関して、従来に比して使い勝手を向上することができる。
【００６２】
このとき頭出しした後、優先度の減少の判定に係る一定時間以上、ノーマル再生により映像コンテンツを再生しない場合に、優先度を低減させることにより、真に頭出しに利用されない目印については、頭出しに利用できないようにすることができ、その分、使い勝手を向上することができる。
【００６３】
また頭出しした後、優先度の増大の判定に係る一定時間以上、ノーマル再生により映像コンテンツを再生した場合に、優先度を増大させることにより、幾度となく真に頭出しに利用される目印については優先度を増大させることができ、この優先度の増大を有効に利用してユーザーの使い勝手を向上することができる。
【００６４】
またこの優先度を、映像コンテンツとは異なる記録媒体に記録して保持することにより、再生専用の記録媒体により提供される映像コンテンツと、記録再生可能な記録媒体による映像コンテンツとの双方について、ブックマーク、チャプターによる頭出し再生用の目印に関して、従来に比して使い勝手を向上することができる。
【実施例２】
【００６５】
なお上述の実施例においては、優先度が一定値以下に低下したブックマークについて、ブックマークファイルに保持したままの状態で、ユーザーによる操作を受け付けないようにする場合について述べたが、本発明はこれに限らず、ブックマークファイルからの削除により、ユーザーによる操作を受け付けないようにしてもよい。
【００６６】
また上述の実施例においては、サムネール画像データ、メタデータと一体にブックマークファイルを作成する場合について述べたが、本発明はこれに限らず、サムネール画像データ、メタデータを、別ファイルにより記録するようにしてもよい。
【００６７】
また上述の実施例においては、優先度によりブックマークを３つに区分して２つのスキップの操作子の操作に割り当てる場合について述べたが、本発明はこれに限らず、優先度によるブックマークの区分数にあっては、必要に応じて種々の区分数により区分してユーザーによる操作を受け付けるようにしてもよい。またこのような２つのスキップの操作子への割り当てに代えて、１つのスキップの操作子の押圧操作の時間の長短により、ブックマークの割り当てを切り換えるようにしてもよい。
【００６８】
また上述の実施例においては、映像コンテンツとは別の記録媒体に、ブックマークを記録する場合について述べたが、本発明はこれに限らず、映像コンテンツと同一の記録媒体に記録するようにしてもよい。このようにすれば、映像コンテンツを他の再生装置で視聴する場合にも、ブックマークの設定、優先度を利用してユーザーの使い勝手を向上することができる。またこの場合に、映像コンテンツのファイルに、ブックマークを記録するようにしてもよく、このようにすれば、この映像コンテンツのファイルをネットワークにより伝送して他の再生装置で利用する場合に、ブックマークの設定、優先度を利用してユーザーの使い勝手を向上することができる。
【００６９】
また上述の実施例においては、記録媒体に記録された映像コンテンツの再生に本発明を適用する場合について述べたが、本発明はこれに限らず、ネットワークにより配信される映像コンテンツの再生装置にも適用することができる。すなわちこの場合、この映像コンテンツの配信元より、優先度が初期値に設定されたブックマークファイルを取得して再生装置に保持し、この再生装置におけるスキップ、再生等の操作により、オンディマンドで、配信元に映像コンテンツのスキップ、配信等を指示すると共に、優先度を更新する。これによりこのようにネットワークにより配信される映像コンテンツについても、上述の実施例と同様にユーザーの使い勝手を向上することができる。
【００７０】
また上述の実施例においては、テレビジョン放送による映像コンテンツ、外部入力による映像コンテンツについて、シーンチェンジの検出により自動的にブックマークを設定する場合について述べたが、本発明はこれに限らず、例えば一定の時間間隔により自動的にブックマークを設定する場合等にも広く適用することができる。またユーザーの操作によりブックマークに設定する場合にも広く適用することができる。
【００７１】
また上述の実施例においては、ブックマーク、チャプターによる頭出し再生用の目印に係る処理に関して、本発明を適用する場合について述べたが、本発明はこれに限らず、これらブックマーク、チャプター以外の頭出し再生用の目印に係る処理に広く適用することができる。
【００７２】
また上述の実施例においては、映像コンテンツの再生に本発明を適用する場合について述べたが、本発明はこれに限らず、音楽コンテンツの再生にも広く適用することができる。
【産業上の利用可能性】
【００７３】
本発明は、光ディスクによりテレビジョン放送による番組を記録再生する記録再生装置に適用することができる。
【図面の簡単な説明】
【００７４】
【図１】本発明の実施例に係る記録再生装置の中央処理ユニットの処理手順を示すフローチャートである。
【図２】本発明の実施例に係る記録再生装置を示すブロック図である。
【図３】ブックマークファイルを示す図表である。
【図４】リモートコマンダーに係るユーザーインターフェースの説明に供する平面図である。
【図５】優先度による頭出しの説明に供する略線図である。
【図６】優先度の変更の説明に供する略線図である。
【図７】ブックマークの一覧表示を示す平面図である。
【符号の説明】
【００７５】
１……記録再生装置、２……ストレージ、４……中央処理ユニット、６……ＭＰＥＧエンコーダ、７……ＭＰＥＧデコーダ、１４……不揮発性記憶素子
【図１】
0004830379.tif 000002
【図２】
0004830379.tif 000003
【図３】
0004830379.tif 000004
【図４】
0004830379.tif 000005
【図５】
0004830379.tif 000006
【図６】
0004830379.tif 000007
【図７】
0004830379.tif 000008